(57)【要約】【課題】靴下を履くのみで外反母趾の矯正ができる靴下や靴下編機による編成のみで製作することが可能な外反母趾用靴下を提供すること。【解決手段】上記課題を解決するために請求項１記載の靴下は爪先が二股に形成された靴下において靴下の両側縁部に難伸縮部を形成した。請求項２記載の靴下は難伸縮部を両側縁部のみならず甲部から甲部裏側にかけて周回する形状にも設けた。請求項３記載の靴下は難伸縮部をタック編み及び浮き編みを組み合わせて編成した。請求項４記載の靴下は難伸縮部をタック編み、浮き編みのみならず添え糸編みをも交えて編成した。  請求項５記載の靴下は難伸縮部を添え糸編みで編成した。【選択図】  図１
2004250796.tif 000002
【特許請求の範囲】
【請求項１】
爪先が二股に形成された靴下において、靴下の両側縁部に難伸縮部１を形成したことを特徴とする外反母趾用靴下。
【請求項２】
難伸縮部を靴下の両側縁部のみならず甲部から甲部裏側にかけて周回する形状にも設けた請求項１記載の外反母趾用靴下。
【請求項３】
難伸縮部をタック編み及び浮き編みを組み合わせて編成した請求項１又は２記載の外反母趾用靴下。
【請求項４】
難伸縮部をタック編み、浮き編みのみならず添え糸編みをも交えて編成したことを特徴とする請求項１又は２記載の外反母趾用靴下。
【請求項５】
難伸縮部を添え糸編みで編成したことを特徴とする請求項１又は２記載の外反母趾用靴下。
【発明の詳細な説明】
【０００１】
【発明の属する技術分野】
本発明はタイツ、ストッキング、オーバーニー、ハイソックス、短靴下、アンクレット、フートカバー、爪先装着具等の各種靴下の改良に関するものであり、より詳しくは外反母趾を矯正するための靴下に関するものである。
【０００２】
【従来の技術】
外反母趾とは足の変形の一種であり、図９に示すように足の第一趾が第二趾の方に曲がった状態をいう。
【０００３】
これは横中足靭帯が緩み中足関節が開いて第一中足骨の内反を招き、結果として第一趾が外反することにより生じる。
【０００４】
かかる外反母趾が生じる原因としては衝撃吸収性に優れた靴を幼少時から履くため足底筋肉の発達が阻害されるためであるといった説や、ハイヒール等の爪先の尖った靴を履くと足先が締めつけられ、第一趾を外方へ曲げる作用を受けるといった説が挙げられている。
【０００５】
係る外反母趾の状態にいたると第一趾に痛みが生じるのみならず、体のバランスが崩れ腰痛等を引き起こしたりする。
【０００６】
かような害悪を招く外反母趾を矯正するため様々な発明、考案がなされている。例えば実開平６−１３８１４号においては第一趾と甲部に巻回すると共に第一趾を内反させる作用を有するサポーターが提案されている。また、特開２００１−２６９３６７号においては爪先を二股に形成すると共に外反母趾防止体を取り付けることで第一趾を内反させる靴下が提案されている。
【０００７】
【特許文献１】
実開平６−１３８１４号公報
【０００８】
【特許文献２】
特開２００１−２６９３６７号公報
【０００９】
【発明が解決しようとする課題】
上記実開平６−１３８１４号公報記載の考案は装着が手間である。また、靴を履く際には更に靴下をはく必要があり、結果として嵩張ることから足先を締めつけ、かえって痛みが増してしまうという難点を有する。
【００１０】
また、特開２００１−２６９３６７号公報記載の発明は、靴下編機による編成以外に外反母趾防止体を取り付ける工程が必要となり、価格の高騰化を招き商品としての実際性を有しないものである。
【００１１】
そこで本発明は靴下を履くのみで外反母趾の矯正ができる靴下や靴下編機による編成のみで製作することが可能な外反母趾用靴下を提供することを目的とする。
【００１２】
【課題を解決するための手段】
上記課題を解決するために請求項１記載の靴下は爪先が二股に形成された靴下において靴下の両側縁部に難伸縮部を形成した。
【００１３】
請求項２記載の靴下は難伸縮部を両側縁部のみならず甲部から甲部裏側にかけて周回する形状にも設けた。
【００１４】
請求項３記載の靴下は難伸縮部をタック編み及び浮き編みを組み合わせて編成した。
【００１５】
請求項４記載の靴下は難伸縮部をタック編み、浮き編みのみならず添え糸編みをも交えて編成した。
【００１６】
請求項５記載の靴下は難伸縮部を添え糸編みで編成した。
【００１７】
以下かように構成される本発明が如何に作用して課題を解決するかを図面を参照しながら述べる。
【００１８】
図１は請求項１記載の靴下の正面図であり、図２は請求項２記載の靴下の正面図であり、図３は同背面図であり、図４は本発明を爪先装着具として実施したものの正面図であり、図５は本発明の使用状態図である。
【００１９】
図１に示すように請求項１記載の靴下は、両側縁部に難伸縮部１ａが設けてある。この難伸縮部１ａは他の部分に比べ伸縮性に乏しいため、装着した際に、図１における矢印が示す方向、つまり爪先が開く方向に力を与えることになる。その結果、実際に装着してみると、図５に示すように爪先が開くことになるのである。
【００２０】
つまりは外反した第一趾を内反させる方向に力を与えることが可能となり、外反母趾の矯正が可能となるのである。
【００２１】
又、請求項２記載の靴下においては両側縁部のみならず、甲部から甲部裏側にかけて周回する形状に難伸縮部１ｂが設けてある。この難伸縮部１ｂは、装着した際に、図２における矢印が示す方向、つまり中足関節を締めつける方向に力を与えることになる。
【００２２】
前述のように外反母趾は中足関節が開くことにより生じるものである。それゆえ、難伸縮部１ｂにより中足関節を締めつけることにより外反母趾の矯正が可能となるのである。
【００２３】
請求項３記載の靴下においては、難伸縮部をタック編み及び浮き編みを組み合わせて編成してある。ここにタック編みはウェール方向（縦方向）に伸びにくい性質を有し、浮き編みはコース方向（横方向）に伸びにくい性質を有するものである。
【００２４】
かような性質により伸縮性に乏しい難伸縮部を、編機による編成のみで形成することが可能となるのである。
【００２５】
請求項４記載の靴下においては難伸縮部をタック編み、浮き編みのみならず添え糸編みをも交えて編成してある。ここに添え糸編みとは、地編糸に他の編糸を添えて給糸する編成方法であり、当該部分を補強することが可能なものである。かように添え糸編みにより補強することで、より難伸縮性を付加できるのである。
【００２６】
請求項５記載の靴下においては、難伸縮部を、平編み等の地編糸に他の編糸を添えて給糸する添え糸編みで編成してある。前述のとおり、部分的に給糸することで当該部分を補強するので難伸縮性を付与することが可能となるのである。
【００２７】
【発明の実施の形態】
以下、好ましい発明の一実施形態につき図面を参照しながら述べる。
【００２８】
本発明に係る靴下の編成方法は難伸縮部を除き、通常の靴下の編成方法と同様な方法によって構わない。すなわち平編みを基本組織として編成し、口ゴム部はゴム編みやゴム糸を挿入したメリヤス編み等により編成するといった方法である。
【００２９】
また、図１等に示すように爪先部分は細巾部４と広巾部５の二股に形成してある。この際、細巾部４には第一趾を、広巾部５には第二趾、第三趾、第四趾及び第五趾を挿入するように編成してもよいし、あるいは細巾部４には第一趾及び第二趾を、広巾部５には第三趾、第四趾及び第五趾を挿入するように編成してもよい。
【００３０】
靴下の形状も様々な形状を取り得る。即ちタイツ形状、ストッキング形状、オーバーニー形状、ハイソックス形状、短靴下形状、アンクレット形状、フートカバー形状、爪先装着具形状等いずれの形状であっても本発明を実施することが可能である。図１乃至図３はアンクレット形状で本発明を実施したものを示している。
【００３１】
また、爪先装着具とは図４に示すように靴下本体２は着用者の爪先部分に被せる部分のみよりなり、靴下本体２の両端縁部にわたり係止紐３が取り付けられたものをいう。この爪先装着具は靴下本体２を爪先に装着し、係止紐３を踵に係止して着用するものである。
【００３２】
本発明に係る爪先装着具は、靴下本体２の難伸縮部１ａ以外の部分は平編みで編成してある。係止紐３は平ゴムその他の伸縮性を有する紐体で形成してある。
【００３３】
難伸縮部１ａ、１ｂは請求項３記載の靴下においてはタック編みと浮き編みの交編により編成されている。具体的な編成方法は図６や図７に示すようなものである。
【００３４】
すなわち図６に示す交編方法は、１コース目Ｃ１は全編み針のうち１本おきの編み針列Ｗ１、Ｗ３、Ｗ５・・・で弾性糸Ｇをタック編成し、残りの１本おきの編み針列Ｗ２、Ｗ４、Ｗ６・・・は編成しない。２コース目Ｃ２は浮き編みであり、全編み針のうち２本おきの編み針列Ｗ１、Ｗ２、Ｗ５、Ｗ６・・・に弾性糸Ｇを引っ掛け、残りの２本おきの編み針列Ｗ３、Ｗ４、Ｗ７、Ｗ８・・・はフロートする。３コース目Ｃ３は、Ｃ１と同様のタック編成による。４コース目Ｃ４は、Ｃ２と同様の浮き編みによる。以下、同様にタック編み、浮き編みの交編で編成していくのである。
【００３５】
図７に示す交編方法は、１コース目Ｃ１は全編み針のうち１本おきの編み針列Ｗ１、Ｗ３、Ｗ５・・・で弾性糸Ｇをタック編成し、残りの１本おきの編み針列Ｗ２、Ｗ４、Ｗ６・・・は編成しない。２コース目Ｃ２は浮き編みであり、全編み針のうちＷ１、Ｗ２に弾性糸Ｇを引っ掛け、Ｗ３、Ｗ４、Ｗ５はフロートする。Ｗ６に弾性糸Ｇを引っ掛け、Ｗ７、Ｗ８はフロートする。Ｗ９、Ｗ１０に弾性糸Ｇを引っ掛け次の３列をフロート。というふうに２：３：１：２と浮き編みしていくものである。
【００３６】
図６に示す交編方法と図７に示す交編方法の違いは、図７に示す交編方法による方が伸び難いという点にある。むろん本発明は上述の図６、図７に示す交編方法に限定されるものではなく、浮き編みの畦を変更することでより伸び難さを増すことが可能である。
【００３７】
請求項４記載の靴下においては請求項３記載の靴下におけるタック編み、浮き編みによる編成糸を地編糸とし、他の編み糸を添えて給糸・編成してある。添え糸編みした編み糸は難伸縮部の両端でカットする。
【００３８】
請求項５記載の靴下においては、平編み等の通常の靴下編成過程において  難伸縮部を形成したい部分において、平編み等の地編糸に他の編糸を添えて給糸編成してある。具体的な編成方法を模式的に示したものが図８である。すなわち各コースＣ１、Ｃ２、Ｃ３・・・は全編み針列Ｗ１、Ｗ２、Ｗ３、Ｗ４、Ｗ５・・・で地編み糸たる弾性糸Ｇ１を平編み編成する。そして編み針列Ｗ２乃至Ｗ８においては他の編み糸たる弾性糸Ｇ２を添えて給糸編成するものである。弾性糸Ｇ２は難伸縮部の両端でカットされる。給糸編成する編み針列の列数は難伸縮部の巾に応じて決定されるものである。
【００３９】
【発明の効果】
本発明は以上のように構成してあることから、靴下を履くのみで外反母趾の矯正ができる靴下や靴下編機による編成のみで製作することが可能な外反母趾用靴下を提供することが可能となるのである。
【図面の簡単な説明】
【図１】請求項１記載の靴下の正面図。
【図２】請求項２記載の靴下の正面図。
【図３】同背面図。
【図４】本発明を爪先装着具として実施したものの正面図。
【図５】本発明の使用状態図。
【図６】難伸縮部におけるタック編み及び浮き編みの交編方法を示す図。
【図７】難伸縮部におけるタック編み及び浮き編みの他の交編方法を示す図。
【図８】難伸縮部における添え糸編みの編成方法を示す図。
【図９】外反母趾状態の足の概略図。
【符号の説明】
１ａ、１ｂ・・難伸縮部
２・・靴下本体        ３・・係止紐
４・・細巾部      ５・・広巾部
【図１】
2004250796.tif 000003
【図２】
2004250796.tif 000004
【図３】
2004250796.tif 000005
【図４】
2004250796.tif 000006
【図５】
2004250796.tif 000007
【図６】
2004250796.tif 000008
【図７】
2004250796.tif 000009
【図８】
2004250796.tif 000010
【図９】
2004250796.tif 000011